(57)【特許請求の範囲】
【請求項１】
シャワー吐水用の複数の散水孔よりなる散水孔群と、ストレート吐水用の吐水口とを有する、水栓設備に設けられる吐水装置において、
該ストレート吐水用の吐水口は、該散水孔群の周囲を周回しており、
該吐水装置は、シャワー吐水を行わせるために該散水孔群にのみ水を供給する第１の流路選択と、ストレート吐水を行わせるために該散水孔群と吐水口との双方に水を供給する第２の流路選択とを行う流路切替機構を有しており、
該ストレート吐水用の吐水口は円環形であり、
該吐水装置は散水部材を有しており、該散水部材に前記散水孔が設けられており、前記吐水口が該散水部材の外周を取り巻いており、
該吐水装置は内孔を有した筒部材を有しており、
該内孔の内部に前記散水部材が設けられており、
該内孔の内周面と散水部材の外周との間に前記吐水口が形成されており、
該吐水装置は、上端側から水が流入し下端側から水が流出する継手部材と、
該継手部材の下部に設けられたシール部材とを有しており、
前記筒部材は該継手部材及びシール部材に外嵌しており、
前記散水部材は上下方向移動可能であり、
該吐水装置は、該散水部材を上下移動させるための操作部材を備えており、
該散水部材が上方に移動して該散水部材の外周縁が前記シール部材に接触すると、前記吐水口への水の供給が遮断されて散水孔のみへ水が流れ、
該散水部材が下方に移動して該散水部材の外周縁が前記シール部材から離隔すると、散水孔及び吐水口の双方へ水が流れるように構成されており、
前記筒部材が上下方向移動可能であり、
前記操作部材は、該筒部材を上下移動させて前記散水部材を上下移動させることを特徴とする吐水装置。
【請求項２】
請求項１において、前記操作部材は、前記筒部材に外嵌した筒状部材であり、
該操作部材の内周面と筒部材の外周面との一方に螺旋溝が設けられ、他方に突部が設けられており、該突部が該螺旋溝に係合しており、
前記継手部材の外周面及び筒部材の内周面の一方には、上下方向に延在したキー溝が設けられ、他方には該キー溝にスライド自在に係合し、筒部材の周方向への回転を阻止するキーが設けられており、
これにより、前記操作部材が回転すると該筒部材が上下方向に移動することを特徴とする吐水装置。
【請求項３】
請求項１において、該筒部材と該散水部材とが一体であることを特徴とする吐水装置。
【請求項４】
請求項１において、該吐水装置は、該散水部材が前記シール部材から離れて所定ストロークだけ下方に移動するとそれ以上散水部材が下方に移動することを阻止する止め部材を有しており、
前記筒部材は、下部の内周面に周回凸部を有しており、
該筒部材は、該散水部材よりも長いストロークだけ上下方向に移動可能であり、
該散水部材が該所定ストローク下方に移動するまでは該散水部材の外周縁部が該周回凸部に上方から接しており、
該散水部材が該所定ストロークだけ下方に移動した後、該筒部材がさらに下方に移動することにより、該周回凸部と該散水部材の外周縁部とが離隔し、両者の間に水が流出する間隙が形成されることを特徴とする吐水装置。
【請求項５】
請求項４において、該周回凸部は、下方ほど径が小さくなる逆テーパ部であることを特徴とする吐水装置。
【請求項６】
請求項４において、前記継手部材は、上下方向に貫通した嵌入口を有しており、
前記散水部材は、上方に延在した軸部を有しており、
該軸部は該嵌入口に摺動自在に挿入されており、該軸部の上部は、該嵌入口の上端よりも上方に突出しており、該軸部の上部に前記止め部材が装着されており、
該止め部材が嵌入口の上端面に当接することにより該散水部材の下方移動が阻止されることを特徴とする吐水装置。
【請求項７】
請求項６において、該嵌入口の周囲に、上下方向に貫通した複数の貫通口が設けられ、該貫通口を通って水が下方に流れることを特徴とする吐水装置。
【発明の詳細な説明】
【技術分野】
【０００１】  本発明は水栓設備における吐水装置に関し、詳しくはシャワー吐水とストレート吐水との切替機構を有する吐水装置に関する。
【背景技術】
【０００２】  従来、水栓設備における吐水装置は、通例シャワー吐水と１本の整流束でのストレート吐水とを切替可能となしてある。【０００３】  そのために従来の吐水装置ではシャワー吐水口とストレート吐水口とを別々の位置に配置、詳しくはストレート吐水口を中心部に、シャワー吐水口をストレート吐水口を取り囲むようにその外周側に配置した上、切替機構によってシャワー吐水口からのシャワー吐水とストレート吐水口からのストレート吐水とを切り替えるようにしている。【０００４】  この場合の切替機構は、シャワー吐水口への吐水路とストレート吐水口への吐水路との一方を閉鎖して他方を開放、または一方を開放して他方を閉鎖するといったものである。【０００５】  図１７，図１８Ａ及び図１８Ｂはこのような切替機構を備えた特開２００１−１１９１６号公報の吐水装置を示す。【０００６】  図１７において、２００は水栓設備における吐水ヘッド２０２に設けられた吐水装置で、２０４は散水部材２０６の中心部に設けられたストレート吐水口、２０８はそのストレート吐水口２０４を取り囲むように外周側に設けられた、小孔の複数の散水孔２０８ａから成るシャワー吐水口である。【０００７】  ２１０，２１２はストレート吐水口２０４，シャワー吐水口２０８への吐水路で互いに独立に形成されている。また２１４，２１６（図１８Ａ，１８Ｂ参照）は、それら吐水路２１０，２１２に連通して設けられた連通開口である。【０００８】  これら連通開口２１４，２１６は、弁プレート２１８を貫通する形態で設けられている。【０００９】  ２２０は吐水路２１０，２１２の切替えを行う弁体で、アーム２２２，軸２２４を介してシーソー式のスイッチ操作部２２６に作動的に連結されている。【００１０】  スイッチ操作部２２６の正面（図１７中右側）から見て左端部を押動操作すると、弁体２２０が軸２２４，アーム２２２と一体に回動して、図１８Ａに示しているように一方の連通開口２１４を閉鎖、他方の連通開口２１６を開放状態とする。即ちストレート吐水口２０４に到る吐水路２１０を閉鎖、シャワー吐水口２０８に到る吐水路２１２を開放状態とする。【００１１】  ここにおいて給水はシャワー吐水口２０８へと導かれて、そこから外部にシャワー吐水される。【００１２】  一方、スイッチ操作部２２６の右端部を押動操作すると、今度は弁体２２０が図１８Ｂに示しているように一方の連通開口２１４を開放、他方の連通開口２１６を閉鎖した状態となる。即ちストレート吐水口２０４に到る吐水路２１０を開放、シャワー吐水口２０８に到る吐水路２１２を閉鎖した状態となる。【００１３】  ここにおいて給水はストレート吐水口２０４に導かれて、そこから外部に１本の整流束でストレート吐水される。【００１４】  しかしながら、この、吐水装置２００の場合、ストレート吐水口２０４，シャワー吐水口２０８が別々に設けてあることから、それらストレート吐水口２０４，シャワー吐水口２０８それぞれによる吐水面積（吐水空間）が狭くなる。これに伴って散水孔２０８ａの孔数が制限されたり、またストレート吐水口２０４の口径が狭く制限される。【００１５】  また、シャワー吐水とストレート吐水との切替えのための切替機構が複雑となり、��してこれに伴って吐水装置２００全体が必然的に大型化してしまい、美観を損ねたり、またデザインの自由度が制限されたりする問題が生じていた。【００１６】［発明の概要］
本発明は、小型化が可能であって美観に優れ、しかも快適なシャワー吐水とストレート吐水とを実現することのできる水栓設備における吐水装置を提供することを目的とする。【００１７】
本発明の吐水装置は、シャワー吐水用の複数の散水孔よりなる散水孔群と、ストレート吐水用の吐水口とを有する。このストレート吐水用の吐水口は、該散水孔群の周囲を周回している。この吐水装置は、シャワー吐水を行わせるために、該散水孔群にのみ水を供給する第１の流路選択と、ストレート吐水を行わせるために該散水孔群と吐水口との双方に水を供給する第２の流路選択とを行う流路切替機構を有する。該ストレート吐水用の吐水口は円環形であり、該吐水装置は散水部材を有しており、該散水部材に前記散水孔が設けられており、前記吐水口が該散水部材の外周を取り巻いており、該吐水装置は内孔を有した筒部材を有しており、該内孔の内部に前記散水部材が設けられており、該内孔の内周面と散水部材の外周との間に前記吐水口が形成されており、該吐水装置は、上端側から水が流入し下端側から水が流出する継手部材と、該継手部材の下部に設けられたシール部材とを有しており、前記筒部材は該継手部材及びシール部材に外嵌しており、前記散水部材は上下方向移動可能であり、該吐水装置は、該散水部材を上下移動させるための操作部材を備えており、該散水部材が上方に移動して該散水部材の外周縁が前記シール部材に接触すると、前記吐水口への水の供給が遮断されて散水孔のみへ水が流れ、該散水部材が下方に移動して該散水部材の外周縁が前記シール部材から離隔すると、散水孔及び吐水口の双方へ水が流れるように構成されており、前記筒部材が上下方向移動可能であり、前記操作部材は、該筒部材を上下移動させて前記散水部材を上下移動させる。
【００１８】  散水孔群の周囲を周回した吐水口からの吐水と併せて該散水孔群からの吐水が行われた場合、該吐水口からの円筒状の吐水の内側が散水孔群からのシャワー水で満たされ、これにより空気の巻込みが防止され、流水に乱れのない１本の整流束よりなるストレート吐水が形成される。【００１９】  この吐水装置は、シャワー用散水孔群は軸直角方向において外向きに、また吐水口からの吐水については軸直角方向内向きに角度をつけて吐水するように構成されてもよく、これにより、シャワー用散水孔群からのシャワー吐水と、その周囲を周回した吐水口からの吐水とがきれいに合流して１本の整流束でのストレート吐水が良好に形成される。【００２０】  本発明装置にあっては、シャワー用散水孔群がシャワー吐水のための吐水口とストレート吐水のための吐水口とを兼ねている。【００２１】  このため、シャワー吐水及びストレート吐水の吐水面積（吐水空間）を広くとることが可能であり、これにより快適なシャワー吐水，ストレート吐水を実現することができる。【００２２】  これに伴って、従来の吐水装置のようにシャワー吐水口，ストレート吐水口が別々のスペースを占めることによる吐水装置全体の大型化の問題も解決でき、吐水装置をコンパクトに構成してその美観も良好となすことができ、併せてデザインの自由度も高めることが可能となる。
【図面の簡単な説明】
【００２３】
【図１】本発明の第１の実施の形態に係るキッチン水栓を備えたキッチンを示す図である。
【図２】図２Ａはシャワー吐水状態にある本発明の実施の形態に係る吐水装置の縦断面図である。図２Ｂは図２ＡのＩＩＢ−ＩＩＢ線断面図である。
【図３】図３Ａは実施の形態の吐水装置のストレート吐水状態を示す縦断面図である。図３Ｂは図３ＡのＩＩＩＢ−ＩＩＩＢ線断面図である。
【図４】図４Ａは図２ＡのＩＶＡ−ＩＶＡ線断面図である。図４Ｂは図３ＡのＩＶＢ−ＩＶＢ線断面図である。
【図５】図５Ａはシャワー吐水時の吐水装置の側面図であり、一部が破断されている。図５Ｂはストレート吐水時の吐水装置の側面図であり、一部が破断されている。
【図６】吐水装置の分解断面図である。
【図７】吐水装置の分解斜視図である。
【図８】図８Ａは継手本体の平面図である。図８Ｂは図８ＡのＶＩＩＩＢ−ＶＩＩＩＢ線断面図である。図８Ｃは継手本体の斜視図である。
【図９】図９Ａは操作部材としての操作リングの平面図である。図９Ｂは図９ＡのＩＸＢ−ＩＸＢ線断面図である。図９Ｃは操作リングの斜視図である。
【図１０】図１０Ａは散水部材の側面図であり、左半分は縦断面を示している。図１０Ｂは散水部材の底面図である。
【図１１】図１１Ａは筒部材の平面図である。図１１Ｂは図１１ＡのＸＩＢ−ＸＩＢ線断面図である。図１１Ｃは筒部材の斜視図である。
【図１２】図１２Ａはシャワー吐水中の散水装置の斜視図である。図１２Ｂはストレート吐水中の散水装置の斜視図である。
【図１３】図１３Ａは第２の実施の形態に係る吐水装置の一部の縦断面図である。図１３Ｂは第２の実施の形態に係る吐水装置の散水部材の斜視図である。
【図１４】第３の実施の形態に係る吐水装置の縦断面図である。
【図１５】図１５Ａは第４の実施の形態に係る吐水装置のシャワー吐水時の縦断面図である。図１５Ｂは第４の実施の形態に係る吐水装置のストレート吐水時の縦断面図である。
【図１６】図１６Ａは第５の実施の形態に係る吐水装置の側面図であり、上部は縦断面図を示している。図１６Ｂは第５の実施の形態に係る吐水装置の分解図である。
【図１７】従来の吐水装置の縦断面図である。
【図１８】図１８Ａは図１７の吐水装置のシャワー吐水を示す断面図である。図１８Ｂは図１７の吐水装置のストレート吐水を示す断面図である。
【図１９】第６の実施の形態に係る吐水装置の縦断面図であり、シャワー吐水時を示している。
【図２０】図１９の吐水装置のストレート吐水時の縦断面図である。
【図２１】図１７の吐水装置の分解斜視図である。
【図２２】図１７の吐水装置の底面図である。
【発明を実施するための最良の形態】
【００２４】  本発明の第１の実施の形態を図１〜１２Ｂに基づいて以下に詳しく説明する。【００２５】  図１において、１０はキッチンの流し台、１２はシンク、１４はキャビネット、１６はカウンターで、このカウンター１６上にキッチン水栓（水栓設備）１８が設置されている。【００２６】  キッチン水栓１８はシングルレバー式の混合水栓で、２０は水栓本体であり、その上部に操作レバー２２が左右及び上下に回動可能に設けられている。【００２７】  水栓本体２０からは吐水管２４がシンク１２上方に向けて前方に延び出しており、その先端部の吐水ヘッド２６に本実施の形態の吐水装置２８が設けられている。【００２８】  この吐水装置２８の全体的な構成が図２Ａ，２Ｂ及び図３Ａ，３Ｂに示してある。【００２９】  これらの図に示しているように、吐水装置２８は吐水ヘッド２６の吐水口用の開口部３０に着脱可能に構成されている。【００３０】  ３２は吐水装置２８における継手本体で、その上端部が連結手段としてのねじリング３４により開口部３０に取り付けられている。【００３１】  詳しくは、ねじリング３４は内周面に雌ねじが、外周面に雄ねじが形成されていて、その外周面の雄ねじが開口部３０の内周面の雌ねじに螺合され、また内周面の雌ねじに対して継手本体３２の上端部外周面に形成された雄ねじが螺合されている。【００３２】  これにより継手本体３２が開口部３０に対しねじリング３４を介してねじ結合されている。【００３３】  ねじリング３４と吐水ヘッド２６との間にはシート状のシール部材４０が介設されていて、それらの間がこのシール部材４０によって水密にシールされている。【００３４】  継手本体３２の上部は、穴４８を有した円筒状である。継手本体３２の下部には複数の貫通口４６が該円筒の軸心線方向と平行方向に延設されている。該貫通口４６は穴４８の底面に開口しており、継手本体３２の上端面と下端面とが穴４８と貫通口４６とを介して連通している。【００３５】  穴４８の上縁に段部が周設され、この段部にメッシュ３８が係止されている。このメッシュ３８は穴４８を横断するように配置されている。【００３６】  継手本体３２の下部の中央には、継手本体３２の軸心線方向に貫通する嵌入口４４が設けられている。この嵌入口４４を上方へ延長させるようにして、短い円筒部４２が穴４８の底面から上方へ突設されている。円筒部４２の内部も嵌入口４４の一部を構成している。【００３７】  吐水装置２８は、この継手本体３２の他に散水部材５０，筒部材５２及び操作リング（操作部材）５４を主要素として有している。【００３８】  上記散水部材５０は図６，図７，図１０Ａ，１０Ｂにも示しているように中心部に軸部５６を有しており、その軸部５６が継手本体３２における中心部の嵌入口４４に図中上下方向、即ち軸方向に摺動可能に嵌入されている。【００３９】  この軸部５６の上端部には止輪５８が装着されており、この止輪５８が円筒部４２の上端に当接することによって、散水部材５０が継手本体３２から図中下向きに抜止めされている。【００４０】  軸部５６の下端部には平板状且つ平面形状が円形をなす散水板６０が一体に形成されている。【００４１】  この散水板６０には、図１０Ａ，１０Ｂにも示しているように小孔の多数の散水孔６２が分散して配置されている。【００４２】  この散水板６０の外周部には円形の堤部６６が図中上向きに立ち上がる形態で形成されており、その堤部６６の内側に凹部６８が形成されている。【００４３】  そしてこの凹部６８と継手本体３２における上記の穴４８，貫通口４６等によって、吐水ヘッド２６の中心口３６から水が散水孔６２へ流れる。【００４４】  筒部材５２は、図７及び図１１Ａ〜１１Ｃにも示しているように内孔７２を有した円筒形状をなしており、散水部材５０における散水板６０との間に、即ち散水孔６２の群を全周にわたって取り巻くようにしてストレート吐水用の円環形の吐水口７４を形成している。【００４５】  図２Ａ，２Ｂに示しているように散水部材５０が図中上向きに持ち上げられて、堤部６６が継手本体３２に装着されたシール部材７６に着座することにより吐水口７４への通水が遮断される。【００４６】  散水部材５０が図２Ａ，２Ｂに示す状態から図３Ａ，３Ｂに示すように図中下向きに下降移動して堤部６６がシール部材７６から離間し、そこに隙間を形成することで吐水口７４が開放される。【００４７】  ここでシール部材７６は、全体としてリングブロック状をなしており、その底面に、散水部材５０における堤部６６の上端が当接可能となっている。シール部材７６は、筒部材５２の内周面に弾性接触するリップ部８０を有している。【００４８】  即ちこのシール部材７６は、継手本体３２と散水部材５０における堤部６６との間を水密にシールしうる機能と、継手本体３２と筒部材５２との間を水密にシールしうる機能とを有する。【００４９】  シール部材７６は継手本体３２に対し接着により固定されている。【００５０】  散水部材５０は、軸部５６を嵌入口４４内部において上下に摺動させつつ、継手本体３２に対し所定ストローク上下移動可能、即ち軸方向に移動可能とされている。【００５１】  筒部材５２はその下端部が散水部材５０における散水板６０の外周部のテーパ形状に対応した形状の逆テーパ部８２とされており、この逆テーパ部８２が散水板６０の外周部に当接して、自身の上昇とともに散水部材５０を図中上向きに持ち上げるようになっている。【００５２】  筒部材５２は、継手部材３２の下部に対し、上下方向移動可能に外嵌している。筒部材５２の上下方向のストローク長は、散水部材５０のストローク長よりも大きい。【００５３】  操作リング５４は、図６，図７，図９Ａ，９Ｂ，９Ｃにも示しているように上端部に内向きのフランジ部８４を有しており、このフランジ部８４が、継手本体３２の外向きのフランジ部８６によって回転可能に支持されている。【００５４】  このフランジ部８４は、継手本体３２のフランジ部８６とＣリング状のスペーサ部材８８とによって上下から挟まれており、操作リング５４は上下方向に移動しない。【００５５】  この操作リング５４は、軸回りの回転範囲が一定範囲に規制されている。【００５６】  詳しくは、この操作リング５４のフランジ部８４の内周には図４Ａ，４Ｂ，図７及び図９Ａ，９Ｂ，９Ｃに示しているようにストッパ部９０が形成されており、このストッパ部９０が、継手本体３２に形成されたストッパ部９２の端面９２ａ，９２ｂに当接することによって回転位置が規制されるようになっている。【００５７】  継手本体３２の外周面には、周方向に約２０５°の範囲にわたって延在する突出したストッパ部９２と、約１５５°の範囲にわたって延在する平坦部９３とが設けられている。【００５８】  平坦部９３は、ストッパ部９２の周方向の一端面９２ａから他端面９２ｂまで延在している。【００５９】  操作リング５４のストッパ部９０は、この平坦部９３に配置されている。ストッパ部９０は、周方向に約４５°の範囲にわたって延在している。従って、操作リング５４は、図４Ａのθで示すように約１１０°の範囲だけ回動しうる。【００６０】  この操作リング５４の内周面には、図５Ａ，５Ｂ，図６及び図９Ａ，９Ｂ，９Ｃに示しているように２条の螺旋溝９６が形成されている。【００６１】  上記筒部材５２の上端部の外周面には、図５Ａ〜図７及び図１１Ａ，１１Ｂ，１１Ｃに示しているように径方向外向きに突出する突部９８が設けられており、これら突部９８が２条の螺旋溝９６に且つその螺旋溝９６に沿って摺動可能に係入している。【００６２】  これら螺旋溝９６と突部９８とは螺進機構を成すもので、操作リング５４を回転操作したとき、突部９８が螺旋溝９６と摺動することによって筒部材５２が図中上下に移動する。【００６３】  筒部材５２が操作リング５４と一体に回転しないように、筒部材５２と継手本体３２との間には筒部材５２の回転を抑制するための機構が設けてある。【００６４】  具体的には、図２Ｂ，図３Ｂ及び図６〜図８Ｃ，図１１Ａ，１１Ｂ，１１Ｃに示しているように継手本体３２には図中上下方向に延びるキー溝１００が形成されている。筒部材５２には、その上端部に径方向内向きに突出するスライドキー１０２が設けられていて、そのスライドキー１０２がキー溝１００にスライド可能に係合しており、これによって、筒部材５２が継手本体３２に対し回転不能に係合している。【００６５】  次に本実施の形態の吐水装置２８の作動を説明する。【００６６】［シャワー吐水］
図２Ａ，２Ｂ，図４Ａ，図５Ａ，図１２Ａはシャワー吐水時の状態を示しており、このとき、図４Ａに示しているように操作リング５４のストッパ部９０は、継手本体３２におけるストッパ部９２の一端部９２ａに当接した状態にある。このとき図２Ａに示しているように散水部材５０及び筒部材５２は何れも上昇位置にあり、逆テーパ部８２と散水部材５０の散水板６０における外周部との当接によって、吐水口７４は閉鎖された状態にある。【００６７】  この状態では、吐水ヘッド２６の中心口３６から流下した水は散水孔６２にのみ導かれて、そこから下向きにシャワー吐水のみが行われる。このときシャワー吐水の外周部は若干外向きとなる。【００６８】  図１２Ａは散水孔６２からだけ吐水させるシャワー吐水を行ったときの状態を示している。【００６９】［シャワー吐水からストレート吐水への切替］
この状態から操作リング５４を図４Ａ，４Ｂにおいて時計方向に回転操作すると、操作リング５４の螺旋溝９６と筒部材５２の突部９８とが摺動し、筒部材５２が下降移動し、またこれに連動して筒部材５２によって支持されていた散水部材５０が自重及び水圧の作用により同じく下降移動する。【００７０】  この筒部材５２の移動ストロークの途中において、散水部材５０が止輪５８と継手本体３２における円筒部４２の上端との当接により、下降移動が停止する。【００７１】  筒部材５２は、更にこの状態から引き続いて下降移動する。操作リング５４のストッパ部９０が、図４Ｂに示しているように継手本体３２のストッパ部９２の端部９２ｂに当接した時点で、操作リング５４が停止し、筒部材５２が停止し、ストレート吐水への切替が完了する。【００７２】［ストレート吐水］
この状態が図３Ａ，３Ｂ，図４Ｂ，図５Ｂ，図１２に示すストレート吐水時の状態である。このとき図３Ａ，３Ｂに示しているように散水部材５０における堤部６６とシール部材７６との間に上下の隙間が形成されるとともに、逆テーパ部８２と散水板６０の外周部との間にも隙間が生じて、吐水口７４が全周に亘り開放された状態となる。【００７３】  従って、水が散水孔６２から下向きに吐水されるとともに、貫通口４６を下向きに向う水の一部が散水部材５０における堤部６６を乗り越えて散水孔６２の外周側に回り込み、吐水口７４へと流れ込んでその吐水口７４から下向きに吐水される。【００７４】  このとき、散水孔６２からの吐水と吐水口７４からの吐水との両方が同時に行われる。この散水孔６２からの吐水と円環形の吐水口７４からの吐水とが一体化して図１２Ｂの通り１本の整流束でのストレート吐水を形成する。【００７５】  図１２Ｂは散水孔６２からの吐水と吐水口７４からの吐水とによって、１本の整流束でのストレート吐水が形成される様子を示している。【００７６】  図１２Ｂの通り、流れの整った１本の整流束でのストレート吐水が形成される理由は次の通りである。【００７７】  吐水口７４からの吐水に加えて散水孔６２からの吐水を同時に行った場合、吐水口７４からの円筒状の吐水の内側は散水孔６２からの吐水で満たされた状態となって、吐水口７４からの吐水の内側部分は空洞状態とならず、従って空気を巻き込んだ流れとならない。【００７８】  内孔７２からの吐水流は、逆テーパ部８２に案内されて下方ほど窄まるように流れる。このため、吐水口７４から流出して流れ落ちる円筒状の吐水流と散水孔６２から流出して流れ落ちる吐水流とが途中できれいに合流して、そこに１本の規則正しい流れの整流束でのストレート吐水を形成するのである。【００７９】［ストレート吐水からシャワー吐水への切替］
ストレート吐水からシャワー吐水へ切り替えるには、操作リング５４を図４Ｂにおいて反時計方向に回転操作する。そうすると、先ず筒部材５２が上向きに移動し、その移動ストロークの途中で筒部材５２の逆テーパ部８２が散水部材５０の外周面に当って、筒部材５２と散水部材５０とが一緒に上方に移動する。【００８０】  図４Ａに示すように、操作リング５４のストッパ部９０が、ストッパ部９２の端部９２ａに当接したところで、ストレート吐水からシャワー吐水への切替が終了する。前述の通り、このシャワー吐水状態では、散水部材５０の堤部６６の上端が継手本体３２に装着されたシール部材７６に着座し、逆テーパ部８２が散水部材５０の外周面に当接しているので、吐水口７４が閉鎖されている。【００８１】  本実施の形態の吐水装置２８によれば、散水孔６２がシャワー吐水のための吐水機能と、ストレート吐水のための吐水時に吐水口７４からの円筒状流出水の中に水を注ぎ込む機能とを兼ねており、従来の吐水装置のようにかかるシャワー吐水口が純粋にシャワー吐水口だけのためのものとして構成されていないため、シャワー吐水及びストレート吐水の吐水面積（吐水空間）を広くとることが可能であり、これにより快適なシャワー吐水、ストレート吐水を実現することができる。【００８２】  また、これに伴って、従来のようにシャワー吐水口，ストレート吐水口が別々のスペースを占めることによって必然的に吐水装置全体が大型化するといったことがなく、吐水装置２８をコンパクトに構成してその美観も良好となすことができ、併せてデザインの自由度も高めることができる。【００８３】  本実施の形態では、吐水口７４の閉鎖によりシャワー吐水し、吐水口７４を開放することにより、ストレート吐水を行うようにしているため、簡単な構造で容易にシャワー吐水とストレート吐水とを切り替えることができる。【００８４】  本実施の形態では、散水孔６２の設けられた散水部材５０を軸方向に移動可能に設け、その散水部材５０の移動によって吐水口７４を閉鎖又は開放するようにしているため、容易に吐水口７４の閉鎖又は開放を行うことができる。【００８５】  本実施の形態においては、シール部材７６を継手本体３２と散水部材５０との間のシール部材及び継手本体３２と筒部材５２との間のシール部材の両方を兼用して構成してあるため、必要なシール部材の数を少なくすることができ、且つ散水部材５０をシール部材７６に着座させることで吐水口７４を良好に水密に閉鎖することができる。【００８６】  本実施の形態では、単に操作リング５４を回転操作するだけで筒部材５２を軸方向に移動させることができ、操作性が良好である特長も有する。【００８７】  図１３Ａ，１３Ｂは本発明の第２の実施の形態に係る吐水装置２８Ａの一部を示したものである。【００８８】  この実施の形態では、散水部材５０Ａの外周部に整流部１０４が設けられている。この整流部１０４は、堤部６６の外周面から放射方向に突出した小突起よりなる。該整流部１０４は、堤部６６の外周面の全周にわたって一定間隔をおいて設けられている。整流部１０４の先端は内孔７２の内周面に摺動可能に接しているが、若干離隔していてもよい。散水部材５０Ａのその他の構成は上記散水部材５０と同一である。【００８９】  この整流部１０４を設けたことにより、吐水口７４から流出する水の流量が吐水口７４の周方向にわたって均等になり、ストレート吐水時の整流束が安定する。【００９０】  この実施の形態では整流部１０４は散水部材５０Ａの外周面に設けられているが、内孔７２の内周面に設けられてもよい。【００９１】  図１４は本発明の第３の実施の形態に係る吐水装置２８Ｂの一部を示している。この実施の形態では、散水部材５０Ｂに傘状のガイド部材１０６が設けられている。【００９２】  ガイド部材１０６は、軸部５６に外嵌しており、その上面は外方ほど下位となる下り勾配を有している。ガイド部材１０６と堤部６６との間及びガイド部材１０６と散水板６０との間には、水がガイド部材１０６の外周を回り込んで各散水孔６２へ十分に流れるように十分な間隙が形成されている。ガイド部材１０６は、ストレート吐水時に吐水口７４へ流れる水量を増加させ、整流束を安定化させる機能を有する。図１４の散水部材５０Ｂのその他の構成は上記散水部材５０と同一である。【００９３】  図１５Ａ，１５Ｂは本発明の第４の実施の形態を示している。【００９４】  この実施の形態においても、吐水ヘッド２６の開口部３０内にねじリング３４が螺着され、このねじリング３４に吐水装置が取り付けられている。【００９５】  この実施の形態に係る吐水装置２８ａは、吐水装置２８と類似の構成を有しており、同一構成の部材には同一符号が付され、少しだけ構成が異なるが同一機能を奏する部材は“ａ”を付した符号が付されている。【００９６】  この吐水装置２８ａにあっては、円筒状の継手本体３２ａの上部外周面に雄ねじが形成され、この雄ねじがねじリング３４の内周面の雌ねじに螺着されている。【００９７】  継手本体３２ａの内部は上下方向に貫通する孔となっており、その内部の上下方向の中間に段部が形成され、この段部に係止されるようにしてメッシュ３８が配設されている。【００９８】  継手本体３２ａの外周面の上下方向中間からフランジ部８６ａが突設されている。このフランジ部８６ａよりも下側には、上下方向に延在するキー溝１００ａが形成されている。【００９９】  継手本体３２ａの下端面にシール部材７６ａが接着等により固着されている。このシール部材７６ａは、筒部材５２ａの内周面に水密的に且つ摺動自在に接している。【０１００】  継手本体３２ａに対し筒部材５２ａが外嵌している。この筒部材５２ａの上端部の内周からスライドキー１０２ａが突設されている。このスライドキー１０２ａがキー溝１００ａにスライド自在に係合することにより、筒部材５２ａは継手本体３２ａに対し上下方向移動自在とされ、周方向への回転が阻止されるように嵌合している。【０１０１】  この筒部材５２ａの外周面から突部９８ａが突設されている。筒部材５２ａに操作リング５４が外嵌している。この操作リング５４は前記第１の実施の形態の操作リング５４と同一構造である。即ち、操作リング５４の上端部から内方へフランジ部８４が突設され、このフランジ部８４が継手本体３２ａのフランジ部８６ａに上側から重なっている。これにより、操作リング５４は継手本体３２ａに対し周方向に回転自在に係合している。【０１���２】  このフランジ部８６ａの内周面からストッパ部９０が突設されている。図４Ａ，４Ｂと同じく、このストッパ部９０は平坦部９３（図１５Ａ，１５Ｂでは符号略）内に配置されているので、操作リング５４は図４Ａの角度θの範囲だけ回動可能となっている。【０１０３】  フランジ部８６ａとねじリング３４の下端面との間にスペーサ部材８８が介在されており、操作リング５４の上方への移動が阻止されている。【０１０４】  操作リング５４の内周面に設けられた螺旋溝９６に対し、筒部材５２ａの外周面から突設された突部９８ａが係合している。これにより、操作リング５４を回転させると、前述の筒部材５２と同様に筒部材５２ａが上下方向に移動する。【０１０５】  この実施の形態では、筒部材５２ａと散水部材５０ａとが一体化され、両者が一体に上下動する。散水部材５０ａと筒部材５２ａとは、ブリッジ部５０ｂを介してつながっている。ブリッジ部５０ｂは散水部材５０ａの外周の周方向に間隔をおいて複数個設けられている。ブリッジ部５０ｂ同士の間は開放しており、ここを通って水が下方へ流れ得るように構成されている。【０１０６】  散水部材５０ａは、円形の散水板６０ａを有している。この散水板６０ａの中央からボス部（図示略）が突設され、このボス部の上面に傘状のガイド部材１０６ａが固着されている。【０１０７】  散水板６０ａには多数の散水孔６２ａが貫設されている。散水板６０ａの外周縁の上面に堤部６６ａが周設されている。前記ブリッジ部５０ｂはこの堤部６６ａの外周面から放射方向に突出している。【０１０８】  ガイド部材１０６ａの上面は、外方ほど低位となるように下り勾配となっている。ガイド部材１０６ａと堤部６６ａとの間、及びガイド部材１０６ａと散水板６０ａとの間には、水が散水孔６２ａに十分に流れ込むように十分な間隙があいている。【０１０９】  この散水装置２８ａにあっては、図１５Ａの通り、操作リング５４を回して図４Ａの状態にすると、筒部材５２ａ及びそれと一体の散水部材５０ａが上昇し、堤部６６ａがシール部材７６ａに接する。これにより、吐水ヘッド２６からの水は、散水孔６２ａのみから流出してシャワー吐水が行われる。【０１１０】  操作リング５４を逆方向に回して図４Ｂの状態にすると、図１５Ｂの通り、筒部材５２ａ及び散水部材５０ａが下降し、堤部６６ａがシール部材７６ａから離反する。これにより、水は散水孔６２ａだけでなく、散水部材５０ａと筒部材５２ａとの間の内孔７２ａを通り、筒部材５２ａの吐水口７４ａからも流出する。内孔７２ａの下端部は下方ほど小径となる逆テーパ部８２ａとなっているので、吐水口７４ａから流出した水は下方ほど小径となるように流出する。この吐水口７４ａからの流出水の内側に対し散水孔６２ａからの流出水が注ぎ込まれるので、散水装置２８ａからの吐水は整流束よりなるストレート吐水となる。【０１１１】
尚この実施の形態ではガイド部材１０６ａが設けてあるが、このガイド部材１０６ａは第１の実施の形態（図１〜図１２Ｂ）と同様に省略することも可能である。
【０１１２】  上記実施の形態では、図２Ａ〜３Ｂの通り吐水ヘッド２６の開口部３０の内周面にねじリング３４を螺着させ、このねじリング３４の内周面に継手本体３２を螺着させているが、図１６Ａ，１６Ｂの通り、吐水ヘッド２６Ａから円筒状の吐水パイプ３００を突出させ、このパイプ３００に対し筒状継手３１０を介して継手本体３２を連結してもよい。【０１１３】  パイプ３００の下部外周面に雄ねじ３０１が設けられ、筒状継手３１０の上部の内周面の雌ねじ３１２が該雄ねじ３０１に螺合している。【０１１４】  筒状継手３１０の内周面の上下方向の中間から鍔部３１１が突設されている。この鍔部３１１とパイプ３００の下端との間にシール部材３２０が介在されている。【０１１５】  筒状継手３１０の下部内周面に雌ねじ３１３が設けられており、この雌ねじ３１３に対し継手部材３２の上部外周面の雄ねじが螺合している。この継手部材３２を有した吐水装置２８の構成は、上記実施の形態と同一であり、同一符号は同一部分を示している。即ち、図１６Ａ，１６Ｂにおいて３８はメッシュ、５２は筒部材、５４は操作リング、５６は軸部、５８は止輪、８８はスペーサ部材である。吐水装置２８の使用方法は前述の実施の形態と同一である。【０１１６】  図１９〜２２は本発明の第６の実施の形態を示している。【０１１７】  この実施の形態に係る吐水装置２８Ｃも、図１〜１２の吐水装置２８と類似の構成を有しており、同一構成の部材には同一符号が付され、少しだけ構成が異なるが同一機能を奏する部材は“Ｃ”を付した符号が付されている。【０１１８】  この吐水装置２８Ｃにおいては、操作リング５４Ｃにレバー４００が取り付けられている。【０１１９】  このレバー４００は、該操作リング５４Ｃに対し同軸状に外嵌する環状のベースリング４０１と、該ベースリング４０１を該操作リング５４Ｃに固定する固定リング４０２と、該ベースリング４０１から側方（放射方向）へ延出したレバー本体４０３とを有している。【０１２０】  図２１の通り、ベースリング４０１の内周面にはセレーション４０４が形成されている。操作リング５４Ｃの外周面には、このセレーション４０４に係合する凸条４０５が周方向に間隔をおいて複数条設けられている。該セレーション４０４の上端側には、図１９，２０の通り、ベースリング４０１の内側に張り出す凸段部４０６が形成されている。該べースリング４０１の下端側内周面には雌ねじ４０７が形成されている。【０１２１】  固定リング４０２の外周面には、この雌ねじ４０７に螺合する雄ねじ４０８（図２１）が設けられている。図１９，２０の通り、この固定リング４０２の内側の孔の直径は、該操作リング５４Ｃの内側の筒部材５２Ｃの外径よりも若干大きなものとなっている。【０１２２】  この実施の形態では、図示の通り、レバー本体４０３は略半円形の平板状のものであるが、レバー本体の形状はこれに限定されない。レバー本体は、例えば、棒状やリング状であってもよい。【０１２３】  レバー４００を操作リング５４Ｃに取り付けるに当っては、まず、凸条４０５をセレーション４０４に係合させつつ、ベースリング４０１を操作リング５４Ｃに対し上方から外嵌させる。その後、固定リング４０２を雌ねじ４０７にねじ込む。この際、凸段部４０６が凸条４０５の上端面に対し上方から当接すると共に、固定リング４０２が下方から操作リング５４Ｃの下端面に重なる。これにより、ベースリング４０１が操作リング５４Ｃに固定され、レバー４００と操作リング５４Ｃとが一体化される。【０１２４】  この吐水装置２８Ｃにおいては、図１９の通り、筒部材５２Ｃは、ストレート吐水口７４を閉鎖した上昇位置にある場合、その下端部内側の逆テーパ部８２が散水板６０の外周部の上下方向途中部に当接し、下端面４１０が該散水板６０の下面よりも上方に位置するよう構成されている。即ち、シャワー吐水時には、筒部材５２Ｃが散水板６０の側周囲から避退し、該散水板６０の下部が筒部材５２Ｃの下端面４１０から下方へ突出する。【０１２５】  この実施の形態では、吐水装置２８Ｃは、手持ち型（グリップ型）の吐水ヘッド２６Ｃの開口部（吐水口）３０Ｃに筒状継手４２０を介して連結されている。【０１２６】  筒状継手４２０の下部内周面には雌ねじが設けられている。この雌ねじに、継手本体３２の上部外周面の雄ねじがねじ込まれている。該筒状継手４２０の下部外周面からは、放射状に外向きフランジ部４２１が突設されている。この実施の形態では、該フランジ部４２１と、継手本体３２の途中部の外向きフランジ部８６との間に、操作リング５４Ｃの上端側の内向きフランジ部８４が回転可能に保持されている。【０１２７】  該筒状継手４２０の上部外周面にはＯリング４２２が装着されている。また、該筒状継手４２０の上部内周縁には段部が形成され、この段部に係止されるようにしてメッシュ３８が配設されている。【０１２８】  筒状継手４２０の途中部の外周面には、該筒状継手４２０を吐水ヘッド２６Ｃに固定するためのロックねじ２６ａが係合する凹所４２３が設けられている。【０１２９】  吐水ヘッド２６Ｃの側面には、該ロックねじ２６ａがねじ込まれる雌ねじ孔２６ｂが設けられている。該雌ねじ孔２６ｂは、吐水ヘッド２６Ｃの側面を貫通して開口部３０Ｃの内側に連通している。【０１３０】  吐水装置２８Ｃを吐水ヘッド２６Ｃに連結するに当っては、まず、継手本体３２の上部の雄ねじを筒状継手４２０の下部の雌ねじにねじ込み、吐水装置２８Ｃと筒状継手４２０とを連結する。次に、この筒状継手４２０を開口部３０Ｃに内嵌させ、雌ねじ孔２６ｂにロックねじ２６ａをねじ込む。このロックねじ２６ａの先端が雌ねじ孔２６ｂを介して開口部３０Ｃ内に張り出し、凹所４２３に係合することにより、筒状継手４２０が開口部３０Ｃ内に固定される。この結果、吐水装置２８Ｃと吐水ヘッド２６とが連結される。【０１３１】  この吐水装置２８Ｃにあっては、操作リング５４Ｃにレバー４００が設けられているので、このレバー４００に指や手を掛けて該レバー４００を前後に押すこと又は引くことにより、比較的少ない労力で簡単に操作リング５４Ｃを回転させることができる。【０１３２】  また、この吐水装置２８Ｃにあっては、シャワー吐水時には、筒部材５２Ｃが散水板６０の側周囲から避退し、散水板６０の下部が筒部材５２Ｃの下端面４１０から下方へ突出するので、この散水板６０の下面の散水孔６２から吐出された水が該筒部材５２Ｃ等に当って周囲に発散することが防止される。【０１３３】  以上本発明の実施の形態を詳述したがこれらはあくまで一例示であり、本発明はその趣旨を逸脱しない範囲において種々変更を加えた形態で構成可能である。
【図１】
0004428343.tif 000002
【図２】
0004428343.tif 000003
【図３】
0004428343.tif 000004
【図４】
0004428343.tif 000005
【図５】
0004428343.tif 000006
【図６】
0004428343.tif 000007
【図７】
0004428343.tif 000008
【図８】
0004428343.tif 000009
【図９】
0004428343.tif 000010
【図１０】
0004428343.tif 000011
【図１１】
0004428343.tif 000012
【図１２】
0004428343.tif 000013
【図１３】
0004428343.tif 000014
【図１４】
0004428343.tif 000015
【図１５】
0004428343.tif 000016
【図１６】
0004428343.tif 000017
【図１７】
0004428343.tif 000018
【図１８】
0004428343.tif 000019
【図１９】
0004428343.tif 000020
【図２０】
0004428343.tif 000021
【図２１】
0004428343.tif 000022
【図２２】
0004428343.tif 000023